(57)【要約】  本発明は、その一側面において、ローラ型アプリケータと共に直立位置で使用するための塗装媒質容器であって、塗装媒質を受け入れる容器と、この塗装媒質容器内に配置されておりかつローラ型アプリケータ支持手段を形成する取り外し可能または一体状の転がりプラットフォームとを有する塗装媒質容器を少なくとも含む塗装システムに関する。このシステムは、さらに、塗装媒質貯蔵容器および／または塗装用具ホルダも備えるだろう。本発明は、塗装、壁紙貼り、および／または、他の塗装作業を行う時に、塗装システムの容易な使用を可能にする。
2009525171.tif 000002
【特許請求の範囲】
【請求項１】
塗装システムにおいて、塗装システムが
（ａ）ローラ型アプリケータと共に直立位置で使用するための塗装媒質容器であって、塗装媒質を受け入れる容器を形成する基部から上方に延びる壁と、例えば背部壁のような壁に対して特定の角度でこの塗装媒質容器内に配置されている取り外し可能または一体状の転がりプラットフォームとを有し、前記プラットフォームの遠位部分が、この塗装媒質容器の前記基部の付近に配置されており、および、ローラ型アプリケータ支持手段を形成する塗装媒質容器を備えていて、
さらに、採用随意に、
（ｂ）塗装媒質貯蔵容器、および／または、
（ｃ）塗装用具ホルダ
を備える塗装システム。
【請求項２】
前記プラットフォームの前記遠位部分は、前記ローラ型アプリケータ支持手段を形成するように湾曲している請求項１に記載のシステム。
【請求項３】
前記プラットフォームの前記遠位部分は、前記ローラ型アプリケータに対する支持を提供するための止め具手段を有する請求項１または２に記載のシステム。
【請求項４】
前記プラットフォームの前記遠位部分は、前記プラットフォームおよび／または前記ローラ型アプリケータからの塗装媒質が前記容器の中に流れ込むことを可能にするために、例えば１つまたは複数の穿孔のような穴を有する請求項１から３のいずれか一項に記載のシステム。
【請求項５】
前記プラットフォームは、ローラ型アプリケータ上への塗装媒質の充填を補助するための横断方向リブを備える請求項１から４のいずれか一項に記載のシステム。
【請求項６】
前記プラットフォームは、採用随意に前記プラットフォームと一体状である位置決め手段によって、壁から、例えば前記背部壁から、特定の角度において、前記塗装媒質容器内に配置されている請求項１から５のいずれか一項に記載のシステム。
【請求項７】
前記プラットフォームは、取り外し可能な時に、壁に取り付けるために、その近位端部に配置手段を有する請求項１から６のいずれか一項に記載のシステム。
【請求項８】
前記塗装媒質容器は、塗装用具を保持するための区画をさらに備える請求項１から７のいずれか一項に記載のシステム。
【請求項９】
前記区画は、例えば前記区画の穿孔されているかまたは開放されている基部および／または側部壁によって、前記塗装媒質容器と流体連通している請求項８に記載のシステム。
【請求項１０】
前記塗装媒質容器は、前記塗装媒質容器の２つの互いに反対側に位置した側部壁の各々の上に配置されている区画を備える請求項８または９に記載のシステム。
【請求項１１】
前記塗装媒質容器の前記基部から離れている壁の近位端部が擦り取り端縁を備える請求項１から１０のいずれか一項に記載のシステム。
【請求項１２】
前記塗装媒質容器の２つの壁の間の壁または接合部の上部縁が排出リップを備える請求項１から１１のいずれか一項に記載のシステム。
【請求項１３】
前記塗装媒質容器は、非使用時に前記ローラ型アプリケータのハンドルを固定するための固定手段を備える請求項１から１２のいずれか一項に記載のシステム。
【請求項１４】
前記塗装媒質容器はハンドルを備える請求項１から１３のいずれか一項に記載のシステム。
【請求項１５】
前記塗装媒質貯蔵容器は、基部から上方に延びる側部壁の上部縁によって形成されている開放端部を備え、および、前記塗装媒質貯蔵容器は、塗装媒質および／または塗装媒質ポットを保持するのに適している請求項１から１４のいずれか一項に記載のシステム。
【請求項１６】
前記塗装媒質貯蔵容器の前記基部は、２つ以上の異なるサイズの塗装媒質ポットの１つとの滑り嵌めを実現するように段が付けられている請求項１５に記載のシステム。
【請求項１７】
前記塗装媒質貯蔵容器は、前記開放端部全体にわたって位置決め可能でありかつ塗装用具から過剰な塗装媒質を取り除くことを可能にする装置を備える請求項１５または１６に記載のシステム。
【請求項１８】
前記装置は先細の端縁を備える請求項１７に記載のシステム。
【請求項１９】
前記装置は、前記塗装用具のための置場表面を提供する請求項１７または１８に記載のシステム。
【請求項２０】
前記装置は、前記塗装媒質貯蔵容器の前記開放端部の全体にわたって位置決めされことを可能にするように、および／または、前記開放端部から持ち上げられることを可能にするように、前記塗装媒質貯蔵容器の側部にヒンジ式に取り付けられているアームを有する請求項１７から１９のいずれか一項に記載のシステム。
【請求項２１】
前記塗装媒質貯蔵容器は、前記上部縁上に取り付けられている塗装用具支持構造を備える請求項１５から２０のいずれか一項に記載のシステム。
【請求項２２】
前記塗装媒質貯蔵容器はハンドルを有する請求項１から２１のいずれか一項に記載のシステム。
【請求項２３】
前記塗装用具ホルダは、塗装用具と採用随意に塗装媒質とを収容する複数の区画を備える請求項１から２２のいずれか一項に記載のシステム。
【請求項２４】
前記塗装用具ホルダはハンドルを備える請求項１から２３のいずれか一項に記載のシステム。
【請求項２５】
前記塗装媒質容器および／または前記塗装媒質貯蔵容器および／または前記塗装用具ホルダの上に配置されている取り付け手段が上に着脱自在に取り付けられることが可能な保持装置を含む請求項１から２４のいずれか一項に記載のシステム。
【請求項２６】
前記保持装置はホルスタを備える請求項２５に記載のシステム。
【請求項２７】
前記ホルスタは、ベルト、梯子、踏み段、プラットフォーム、または、棚に取り付け可能である請求項２６に記載のシステム。
【請求項２８】
前記保持装置は、梯子、踏み段、プラットフォーム、または、棚の一部分を備える請求項２５に記載のシステム。
【請求項２９】
前記保持装置は、前記塗装媒質容器および／または前記塗装媒質貯蔵容器および／または前記塗装用具ホルダのための格納手段を提供する請求項２５に記載のシステム。
【請求項３０】
前記取り付け手段は、前記塗装媒質容器および／または前記塗装媒質貯蔵容器および／または前記塗装用具ホルダを前記保持装置上の相補的な連結手段に固定するための連結手段を備える請求項２５から２９のいずれか一項に記載のシステム。
【請求項３１】
前記塗装媒質は、接着剤、糊、ニス、洗浄液、および、剥離剤液からなるグループの中の１つまたは複数である請求項１から３０のいずれか一項に記載のシステム。
【請求項３２】
前記塗装用具は、塗料ブラシ、エッジローラ、ナイフ、スクレーパ、糊ブラシ、鋏、鉛筆、および、巻き尺から成るグループの中の１つまたは複数である請求項１から３１のいずれか一項に記載のシステム。
【請求項３３】
添付図面を参照して本明細書で説明されている塗装システム。
【請求項３４】
請求項１から３３のいずれか一項に記載の塗装媒質容器。
【請求項３５】
添付図面を参照して本明細書で説明されている塗装媒質容器。
【請求項３６】
請求項１から３５のいずれか一項に記載の塗装媒質貯蔵容器。
【請求項３７】
添付図面を参照して本明細書で説明されている塗装媒質貯蔵容器。
【請求項３８】
請求項１から３７のいずれか一項に記載の塗装用具ホルダ。
【請求項３９】
添付図面を参照して本明細書で説明されている塗装用具ホルダ。
【請求項４０】
請求項２５から３０のいずれか一項に記載の保持装置。
【請求項４１】
添付図面を参照して本明細書で説明されている保持装置。
【発明の詳細な説明】
【技術分野】
【０００１】
本発明は、塗装と壁紙貼りと他の塗装作業で使用するためのローラペイントトレイ（ｒｏｌｌｅｒ  ｐａｉｎｔ  ｔｒａｙ）と塗料容器ホルダと塗装器具ホルダとのような塗装器具に関する。
【背景技術】
【０００２】
ローラペイントトレイは、塗料ローラを使用して表面に塗料を塗布するために使用される。典型的なローラペイントトレイは、少量の塗料で満たされる浅い容器を形成するように一方の末端において傾斜する傾斜底部表面を有する開放皿状構造物である。塗料を表面に塗布する前に過剰な塗料を取り除くために、ローラが、その底部表面の他方の末端の上を転がされる。１つの部屋の４つの壁のような表面区域を塗装するためには、塗料容器を繰り返し満たすことがユーザに求められるだろう。
【０００３】
水平位置における使用のためのこうしたローラペイントトレイの変型が、ローラがそれに対して使用されることが可能な挿入可能な波形または篩状のトレイと、容器内の塗料に対する容易な到達を可能にするために容器の側部に移動させられることが可能な２つのハンドルとを有する、塗料トレイを教示する米国特許第３，０９１，７９３号明細書に説明されている変型を含む。米国特許第３，６０２，９３９号明細書が、特定の量の塗料を貯蔵するために使用されることが可能であり、かつ、容器が水平位置にある時にローラまたはパッドアプリケ−タ（ｐａｄ  ａｐｐｌｉｃａｔｏｒ）を用いた塗料の塗布のための、塗料容器を教示している。この容器は、側部壁から延びる塗料調節器（またはトレイ）を含む。米国特許第３，１００，３１３号明細書が、ローラから過剰な塗料を取り除く追加の手段を提供するために標準的な水平のローラペイントトレイの中にクリップ留めされることが可能である塗料ローラプラットフォームを開示している。
【０００４】
しかし、水平位置で使用される典型的なローラペイントトレイは、塗料で満たされている時にバランスをとることが周知のように困難であって、そのトレイを動かすために、かつ、塗料の溢れを防止するために、両手を必要とする。梯子からの塗装の場合には、このローラペイントトレイは梯子の階段すなわち踏面に対して水平な形で慎重に運搬されなければならず、この場合にはローラペイントトレイは幾分か不安定にバランスを保たれる可能性がある。
【０００５】
ローラペイントトレイのための代替案のローラペイントトレイまたはアクセサリを提供する試みが行われている。例えば、米国特許第６，３４１，６６６号明細書が、標準タイプのローラペイントトレイがより安定した形で水平位置に配置されることを可能にする、脚立上に取り付けられるアクセサリトレイを開示している。一方、米国特許第５，８４２，２５３号明細書が、塗料容器を含みかつ脚立に着脱自在に取り付けられることが可能である、梯子支持式の保持トレイを教示している。米国特許第３，３５１，９７０号明細書が、取り外し可能な水切り板を有するローラペイントトレイを開示しており、このローラペイントトレイは、ローラ型のアプリケ−タを用いてそのトレイが垂直位置で使用されることを可能にする密封塗料を含む。このトレイは、さらに、その後部上部部分に隣接した１対のフック形部材を備え、および、このトレイが人間に装着して搬送されることを可能にするためのストラップが、このフック形部材の中に嵌合させられることが可能である。ＵＳ２００２／０００５４０９が、垂直位置または水平位置で使用されることが可能であり、および、密封された塗料容器と、梯子の１つまたは複数の踏面上に塗料トレイが垂直方向に載ることを可能にする一方の末端に取り付けられている１対のフックとを同様に備える、ローラペイントトレイを開示している。さらに、ローラペイントトレイが垂直位置で使用されることを可能にするために部分的に密封された塗料容器を使用することが、例えば、ＵＳ２００２／０１００８４８、ＵＳ２００２／０１１２３０９、ＣＡ１２２１０５７、ＧＢ２３６３６７７、および、ＵＳ２００５／０２１７０５９に開示されている。
【０００６】
別の変型では、米国特許第２，８２７，６４８号明細書が、塗料容器の中に挿入されることが可能なローラペイントプラットフォームを開示している。一方、ＷＯ２００４／１０１１７０が、過剰な塗料が塗料缶の中に流れ戻ることを可能にするためにローラトレイが垂直位置に維持されることが可能であるように、塗料缶にローラペイントトレイが連結されることを可能にする２つの可能性のアームを有するペイントローラトレイを開示している。米国特許第５，１２３，５７５号明細書が、垂直の側部と、塗料缶の頂部の中に封止状に連結する下向きの先細円筒によって画定されている大きな開口とを含む、塗料缶アクセサリを開示している。このトレイはローラトレイとしての使用のためにも設計されているが、その端縁上の塗料ブラシと塗料ローラとを保持するために、支持物がそのトレイ上に配置されている。掻き取りプレート（ｓｃｒａｐｉｎｇ  ｐｌａｔｅ）とローラスクリーンとの組合せが、そのトレイの開口の全体にわたって固定されている。
【０００７】
塗料を保持するための第１の空洞と、塗料ブラシを保持するための第２の空洞とを有する主本体を有する塗料容器が、ＧＢ２２３１５５０とＵＳ２００４／０１９５２４８とに開示されている。ＵＳ２００４／０１９５２４８では、この２つの空洞が、ローラ表面使用されることが可能な仕切り板によって隔てられている。この容器は、梯子の最上段の中の穴の中に挿入可能である主本体と一体状であるハンドルによって、脚立の最上部に取り付け可能である。
【０００８】
ＷＯ０３／００４２８８が、ローラペイントトレイに固定されることが可能な塗装用具ホルダを開示している。このホルダは、プラットフォーム上に配置されているペイントローラからペイントトレイの塗料リザーバの中に過剰な塗料が流れ込むことを可能にするために、開放型の構造として形成されている細長いプラットフォームを有する。
【０００９】
米国特許第５，４８９，０５１号明細書が、分離可能なボール／ソケット継手によって自由揺動型の密封可能な塗料容器および付属工具保持具（ｆｒｅｅｌｙ  ｓｗｉｎｇｉｎｇ  ｓｅａｌａｂｌｅ  ｐａｉｎｔ  ｃｏｎｔａｉｎｅｒ  ａｎｄ  ｆｉｔｔｅｄ  ｔｏｏｌ  ｃａｒｒｉｅｒ）によって取り付けられている腰支持ベルト装着式の基部部材（ｈｉｐ−ｓｕｐｐｏｒｔｅｄ，ｂｅｌｔ−ａｔｔａｃｈｅｄ  ｂａｓｅ  ｍｅｍｂｅｒ）を使用して、塗装工の腰部に吊り下げられる塗料運搬装置および塗料塗装関連道具を教示している。
【発明の開示】
【発明が解決しようとする課題】
【００１０】
様々なローラペイントトレイとアクセサリとが従来技術において開示されているが、その限界にも係わらず依然として広範に使用されている標準的な水平ペイントローラトレイからの有用な代替物が今なお必要とされている。本発明は、塗装、壁紙貼り、および/または、他の塗装作業の際に使用が容易であり、かつ、従来技術のシステムに関連している実際的な欠点および／またはコスト上の欠点を克服する、塗装システムを提供する。
【課題を解決するための手段】
【００１１】
本発明の第１の側面では、
（ａ）ローラ型アプリケータと共に直立（すなわち、概ね垂直）位置で使用するための塗装媒質容器であって、塗装媒質を受け入れる容器を形成する基部から上方に延びる壁と、例えば背部壁のような壁に対して特定の角度でこの塗装媒質容器内に配置されている取り外し可能または一体状の転がりプラットフォーム（ｒｏｌｌｉｎｇ  ｐｌａｔｆｏｒｍ）とを有し、このプラットフォームの遠位部分が、この塗装媒質容器の基部の付近に配置されており、および、ローラ型アプリケータの支持手段を形成する塗装媒質容器、および／または、
（ｂ）塗装媒質貯蔵容器、および／または、
（ｃ）塗装用具ホルダ（ｄｅｃｏｒａｔｉｎｇ  ｉｍｐｌｅｍｅｎｔ  ｈｏｌｄｅｒ）
の１つ、２つ、または、すべてを備える塗装システムが提供される。
【００１２】
この塗装システムは、別の側面において、塗装媒質容器を備え、および、採用随意に、さらに、塗装媒質貯蔵容器および／または塗装用具ホルダも備える。
【００１３】
このシステムの塗装媒質容器は、直立（すなわち、概ね垂直）位置で使用されることが可能なので、標準的なペイントローラトレイよりも優れた利点を有する。
【００１４】
しかし、この塗装媒質容器は、さらに、非使用時に拘束クリップの必要なしに塗装媒質容器の中に直立位置でローラ型アプリケ−タが残されることが可能であることを意味する、プラットフォームの遠位末端に位置したローラ型アプリケ−タ支持手段も含む。このローラ型アプリケ−タは、ローラペイントトレイの使用中または搬送中に容易に所定の場所から押し出される可能性があるローラハンドルのための置き台（ｒｅｓｔ）をローラペイントトレイの頂部壁の中のノッチが実現する米国特許第３，３５１，９７０号明細書のローラペイントトレイのような従来技術のローラペイントトレイに比較して、より安定した形で塗装媒質容器内に保持される。
【００１５】
一側面においては、塗装媒質を受け入れる塗装媒質容器の容器は、円筒形の缶すなわち金属製容器を除外する（しかし、後述するように、本発明の別の側面では、塗装媒質貯蔵容器が金属製容器すなわち缶を受け入れるようになっていることがある）。
【００１６】
ローラ型アプリケ−タ支持手段を形成するプラットフォームの遠位部分は、塗装媒質が典型的には塗装媒質容器内に受け入れられる最大高さの上方に配置されるだろう。このことが、塗装媒質容器内においてローラ型アプリケ−タが塗装媒質から離れた状態のままにされることを可能にする。
【００１７】
プラットフォームの遠位部分は、ローラ型アプリケ−タ支持手段を形成するために湾曲させられているだろう。湾曲した形状が、便利であることに、ローラ型アプリケ−タの概ね円筒形のローラ部分を支持するためのハウジングを提供する。
【００１８】
プラットフォームの遠位部分は、ローラ型アプリケ−タを支持するための止め具手段を有するだろう。この止め具手段は、例えば管状であるだろう。湾曲したローラ型アプリケ−タ支持手段との組合せの形で、この管状の止め具は、そのローラ型アプリケ−タ支持手段内にローラ型アプリケ−タを保持するための追加の手段を提供する。
【００１９】
プラットフォームの遠位部分は、そのプラットフォームおよび／またはローラ型アプリケ−タからの塗装媒質をその容器の中に排出することを可能にするために、穴、例えば、１つまたは複数の穿孔または排出口（ｄｒａｉｎ  ｈｏｌｅ）を有するだろう。プラットフォームおよび／またはローラ型アプリケ−タからの過剰な塗料が塗装媒質容器の中に流れ落ちるだろう。
【００２０】
このプラットフォームは、ローラ型アプリケ−タ上に塗装媒質を充填することを補助するための横断方向のリブを備えるだろう。典型的には、このプラットフォームは、２つ以上の横方向リブを備えるだろう。このリブは、アプリケ−タ上に残される塗装媒質の量をユーザが調整することを可能にすることによって、ローラ型アプリケ−タ上に塗装媒質を充填することを補助する。
【００２１】
本明細書で使用される場合に、術語「ローラ型アプリケ−タ」は、塗料および他の塗装媒質タイプの塗布のために一般的に使用されているローラを含む。しかし、本発明は、他の塗装媒質アプリケータと組み合わせた使用が可能だろう。例えば、ペイントパッドが、ローラ型アプリケ−タと同様の仕方でプラットフォーム上で調整されるだろう。本発明の一側面では、術語「ローラ型アプリケ−タ」は、より一般的な術語「塗装媒質アプリケ−タ」を含む。本発明の別の側面では、術語「ローラ型アプリケ−タ」はペイントパッドを排除する。
【００２２】
プラットフォームは、このプラットフォームと採用随意に一体状である位置決め手段によって、例えば背部壁のような壁から特定の角度で塗装媒質容器内に位置決めされるだろう。この角度は約０°から約６０°であり、好ましくは約１０°である。位置決め手段は塗装媒質容器の一部分だろうし、および／または、プラットフォームの一部分だろう。このプラットフォームは、厳密に垂直に傾斜させられているのではなく、壁から離して特定の角度で配置されている場合に、使用が容易であることが発見されている。
【００２３】
このプラットフォームが取り外し可能である場合には、このプラットフォームは、例えば背部壁のような壁に取り付けるための配置手段をその近位端部に有するだろう。この配置手段は、例えば壁の浮き彫り部分のような、壁上に位置する折り目であるだろう。
【００２４】
塗装媒質容器は、さらに、塗装用具（ｄｅｃｏｒａｔｉｎｇ  ｉｍｐｌｅｍｅｎｔ）を保持するための区画を備えるだろう。この区画は、例えば、この区画の穿孔されているかまたは開放されている基部および／または側部壁によって、塗装媒質容器と流体連通しているだろう。一実施態様では、塗装媒質容器は、その塗装媒質容器の２つの互いに反対側に位置した側部壁の各々の上に配置されている区画を備えるだろう。この区画は、採用随意に、穿孔されているかまたは開放されている基部によって塗装媒質容器の中に排出する。
【００２５】
塗装媒質容器の基部から離れている壁の近位端部が掻き取り端縁を備えるだろう。一側面では、塗装媒質容器の２つの側部壁の各々に掻き取り端縁が存在し、左利きまたは右利きの形で、塗料ブラシのような塗装用具から過剰な塗料が取り除かれることを可能にする。
【００２６】
塗装媒質容器の２つの壁の間の壁または交差点の上部縁が排出リップ（ｐｏｕｒｉｎｇ  ｌｉｐ）を備えるだろう。このリップは、塗装媒質容器の塗装媒質が空にされることを可能にする。このリップは、例えば、塗装媒質容器の前部および側部の壁の間の交差点における切り取り部分だろう。
【００２７】
塗装媒質容器は、非使用時にローラ型アプリケータのハンドルを固定するための固定手段を含むだろう。一実施態様では、この固定手段は、この固定手段が固定位置に動かされることおよび／または固定位置から外されることを可能にするために、塗装媒質容器の壁にヒンジ式に取り付けられるだろう。この固定手段は、ローラ型アプリケータのための追加の支持を実現する。
【００２８】
塗装媒質容器は、非使用時に折り曲げられるか折り畳まれることが可能な折り曲げ式または折り畳み式のハンドルのようなハンドルを備えるだろう。
【００２９】
本発明のさらに別の実施態様では、掻き取り端縁がこのハンドル上に配置されていることがある。例えば、ハンドルの１つまたは複数の側部が掻き取り端縁を備えるだろう。この掻き取り端縁は、ハンドルの先細部分によって形成されているだろう。掻き取り端縁は、塗料ブラシのような塗装用具から過剰な塗料または他の塗装媒質が取り除かれることを可能にするだろう。この掻き取り端縁は、塗料ブラシまたは他の塗装用具から取り除かれた過剰の塗料または他の塗装媒質が塗装媒質容器の中に落下するように配置されているだろう。
【００３０】
塗装媒質容器は、適切な量の塗装媒質を保持するように適切に設計されている。ローラ型アプリケータの充填を容易にするために、かつ、塗装媒質が閉じ込められることを防止するために、この塗装媒質容器の基部は丸い端縁と隅とを有するだろう。塗装媒質が後部壁から前部壁に向かって流れて、この前部壁において塗装媒質がローラ型アプリケータによって受け入れられることが可能であるように、塗装媒質容器の中に面するその塗装媒質容器の基部の表面が傾斜しているだろう。塗装媒質容器が水平な表面上で安定していることを確実なものにすると同時に基部を特定の角度に傾斜させるために、基部の外側表面の下方に水平調節脚部が配置されてもよい。
【００３１】
本発明のさらに別の側面では、塗装媒質貯蔵容器は、基部から上方に延びる側部壁の上部縁によって形成されている開放端部を備え、および、この開放端部内では、その塗装媒質貯蔵容器は、塗装媒質および／または塗装媒質ポット（この術語は「缶」を含む）を保持するのに適している。
【００３２】
この塗装媒質貯蔵容器の基部は、例えば０．５リットルおよび１リットルの塗料缶または塗料金属容器のような、２つ以上の異なるサイズの塗装媒質ポットの１つに対する滑り嵌めを実現するように段を付けられているだろう。
【００３３】
この塗装媒質貯蔵容器は、開放端部全体にわたって位置決め可能であり、かつ、塗装用具から過剰な塗装媒質を取り除くことを可能にする、例えばスクレーパのような装置を備えるだろう。この装置が、過剰の塗装媒質が塗装媒質ポットの側部上を滴下するのではなくて塗装媒質貯蔵容器の中に流れ込むことを可能にするので、好ましくは、これは、過剰な塗装媒質を取り除くために、例えば塗料缶または塗料金属容器のような塗装媒質ポットの上部縁を使用することである。
【００３４】
この装置が先細の端縁を備えることが好ましい。この装置は、さらに、塗装用具のための置場表面（ｒｅｓｔｉｎｇ  ｓｕｒｆａｃｅ）も提供し、この置場表面は、上部縁の上に取り付けられている塗装支持用具支持構造との組合せの形で、または、この塗装支持用具支持構造とは無関係に使用されるだろう。
【００３５】
この装置は、この装置が塗装媒質貯蔵容器の開放端部の全体にわたって位置決めされことを可能にするように、および／または、この開放端部から持ち上げられることを可能にするように、その塗装媒質貯蔵容器の側部にヒンジ式に取り付けられているアームを有するだろう。
【００３６】
塗装媒質貯蔵容器はハンドルを有し、および、このハンドルは非使用時には折り畳み可能または折り曲げ可能であるだろう。
【００３７】
本発明のさらに別の側面では、このシステムの塗装用具ホルダは、塗装用具と採用随意に塗装媒質とを収容する複数の区画を備える。塗装用具は、例えば、壁紙の貼り付けに関連した道具を含むだろう。
【００３８】
塗装用具ホルダはハンドルを有し、このハンドルは非使用時には折り畳み可能または折り曲げ可能であるだろう。
【００３９】
本発明によって、このシステムは、さらに、塗装媒質容器および／または塗装媒質貯蔵容器および／または塗装用具ホルダの上に配置されている取り付け手段が上に着脱自在に取り付けられることが可能な保持装置を含むだろう。塗装媒質容器および／または塗装媒質貯蔵容器および／または塗装用具ホルダは、この保持装置に逐次的にまたは同時に取り付けられるだろう。
【００４０】
この保持装置は、例えば、ベルト、梯子、踏み段、プラットフォーム、または、棚に取り付け可能であってよいホルスタ（ｈｏｌｓｔｅｒ）を備えるだろう。あるいは、この代わりに、この保持装置は、梯子、踏み段、プラットフォーム、または、棚の一部分を含むだろう。
【００４１】
この保持装置は、塗装媒質容器および／または塗装媒質貯蔵容器および／または塗装用具ホルダのための格納手段を提供するだろう。例えば、この保持装置は、塗装媒質容器および／または塗装媒質貯蔵容器および／または塗装用具ホルダがその表面上に取り付けられかつ格納されることを可能にするために、壁のような表面に取り付け可能だろう。この格納手段は、このシステムの構成要素が直立位置において好都合に貯蔵されることを可能にする。
【００４２】
塗装媒質容器および／または塗装媒質貯蔵容器および／または塗装用具ホルダ上の取り付け手段は、塗装媒質容器および／または塗装媒質貯蔵容器および／または塗装用具ホルダを保持装置上の相補的な連結手段に固定するための連結手段を備えてもよい。例えば、この連結手段とその相補的な連結手段とが、保持装置上の連結キー（またはノブまたはボタン）がその中を通して挿入可能または抜き取り可能である開口を備えることもある。あるいは、この代わりに、この連結手段とその相補的な連結手段が鳩尾形の止め具であってもよい。この取り付け手段は、さらに、連結手段とその相補的な連結手段とを共に案内するための案内チャネルまたは案内溝を適切に備えるだろう。この取り付け手段は、塗装媒質容器および／または塗装媒質貯蔵容器および／または塗装用具ホルダと一体状であるかまたはこれらに連結可能である支持プレートを備えるか、または、この支持プレートの一部分であってもよい。
【００４３】
一側面では、取り付け手段とその相補的な連結手段は、互いに嵌合させられる時に、（米国特許第５，４８９，０５１号明細書に開示されているものとは対照的に）自由揺動を可能にしない。むしろ、取り付け手段と連結手段との間には、制御可能な動きがあるだろうし、および／または、動きが存在しないだろう。
【００４４】
取り付け手段が格納手段である場合には、この取り付け手段は、相補的な連結手段、例えば、採用随意に壁のような表面に固定可能である、支持プレートと一体状であるかまたはこの支持プレートに固着可能である、連結キーのような取り付け手段である。
【００４５】
塗装媒質容器および／または塗装媒質貯蔵容器および／または塗装用具ホルダおよび／または保持装置は、連結手段が保持装置上の相補的な連結手段から偶発的に係合解除することを防止するロッキング止め具手段（ｌｏｃｋｉｎｇ  ｓｔｏｐ  ｍｅａｎｓ）を備えるだろう。一例では、このロッキング止め具手段は、片手で操作可能なばね式ロック（ｓｐｒｕｎｇ  ｌｏｃｋ）のように、片手で操作可能である。
【００４６】
塗装媒質容器の後部上部リップは、プラットフォームのための取り付け縁を形成するためにわずかに浮き彫りにされているだろう（図７Ａ、図７Ｂ）。塗装媒質容器の後部上部リップは、保持装置に嵌合されている時に塗装媒質容器が作業中に保持装置から偶発的に外されることが不可能であることを確実にするロッキング止め具に嵌合させられているだろう。
【００４７】
塗装媒質容器および／または塗装媒質貯蔵容器および／または塗装用具ホルダが保持装置上に取り付けられる時に、ユーザは、両手を使用して自分の作業物に手を届かせることが可能であるか、または、より安全に梯子等に登ることが可能であるだろう。
【００４８】
本明細書で説明する塗装媒質は、塗料、接着剤、糊、ニス、洗浄液、および／または、剥離剤液であるだろう。
【００４９】
本明細書で説明する塗装用具は、塗料ブラシ、エッジローラ、ナイフ、スクレーパ、糊ブラシ、ペイントパッド、鋏、鉛筆、および／または、巻き尺であるだろう。
【００５０】
本明細書で説明する塗装媒質容器は、さらに、閉じられた時にその容器全体にわたって実質的に気密のシールを実現する着脱可能でありかつ採用随意にヒンジ式に取り付けられている蓋を含むだろう。同様に、塗装媒質貯蔵容器は、開放端部を覆う実質的に気密のシールを実現する着脱可能でありかつ採用随意にヒンジ式に取り付けられている蓋を含むだろう。しかし、本発明の別の側面では、塗装媒質容器および／または塗装媒質貯蔵容器は蓋を持たない。
【００５１】
さらに、本発明によって、採用随意に保持装置と組み合わされている、本明細書に定義されている塗装媒質容器が提供される。
【００５２】
さらに、本発明によって、採用随意に保持装置と組み合わされている、本明細書に定義されている塗装媒質貯蔵容器が提供される。
【００５３】
本発明の別の側面によって、採用随意に保持装置と組み合わされている、本明細書に定義されている塗装媒質貯蔵容器が提供される。
【００５４】
本発明の別の側面によって、採用随意に保持装置と組み合わされている、本明細書に定義されている塗装用具ホルダが提供される。
【００５５】
本発明のさらに別の側面によって、本明細書に定義されている保持装置が提供される。
【００５６】
このシステムの各々の部分がプラスチック材料から適切に成形されるだろう。
【００５７】
本明細書に引用されているすべての引例は、その全体において引例として組み入れられている。
【００５８】
本発明のさらに別の特徴が、後述の非限定的な具体例から明らかになるだろう。一般的に述べると、本発明は、本明細書（添付されている特許請求項および説明図を含む）に開示されている特徴要素の中のあらゆる新規性のある１つの特徴要素またはあらゆる新規性のある特徴要素の組合せを範囲内に含む。さらに、特に言及しない限り、本明細書に開示されているあらゆる特徴要素が、同一または類似の目的を果たす別の特徴要素によって置き換えられてもよい。
【００５９】
以下では、後述の非限定的な具体例と添付されている例示的な図面とを参照しながら、本発明をさらに詳細に説明する。
【発明を実施するための最良の形態】
【００６０】
本明細書で説明する塗装システムは、塗装作業をより容易かつより安全にする。この塗装システムの場合には、ペイントローラトレイおよび塗料ポット、ローラ、塗料ブラシ、壁紙ブラシ等を一方の手で運搬しようとしながら、もう一方の手だけを使って、梯子、踏み段、足場、フォーマ（ｆｏｒｍｅｒ）を登ることが不要である。この塗装システムは、さらに、塗装中に塗料容器とアクセサリとをこうした梯子と構造物との上にバランスさせるかまたは一時的に固定することを不要にする。
【００６１】
むしろ、この塗装システムは、様々な構成要素がユーザにまたは直接的に作業場所に容易かつ安全に取り付けられることを可能にし。到達装置（ａｃｃｅｓｓ  ｄｅｖｉｃｅ）を上り下りするために両手を自由にしておく。塗装媒質容器が塗料に対する手の届きやすさを改善し、および、ローラまたはブラシの充填を調節することを容易にする。塗装媒質容器と塗装媒質貯蔵容器とによって、塗装工は、ローラトレイまたは塗装媒質缶の転覆を心配する必要なしに休憩することが可能である。塗装用具ホルダは、ペンキ塗装工が作業場所において常に自分の用具または道具のすべてに容易に手が届くことを可能にする。この道具（ペイントローラ、塗料ブラシ、壁紙道具等）が、様々なアタッチメントの上に安全かつ人間工学的に格納される。
【００６２】
本発明による塗装媒質容器１が図１と図３と図４と図５と図７とに示されている。図２から図４と図６と図７とに示されている着脱自在なプラットフォーム２０が、図３と図４と図７とに示されている塗装媒質容器の中に挿入されるように設計されている。図３から図５と図７は、この塗装媒質容器が塗料ブラシ４０を受け入れるのに適している各側部上の側部区画２を含むことを示す。プラットフォームは、ハンドル４１とローラ部分４２とを有するローラを収容し、このハンドルは、図４に示されているクリップ留め式のローラグリップ３（止め具手段）によって塗装媒質容器に固定可能である。
【００６３】
塗装媒質容器は成形プラスチックで作られており、および、塗料、壁紙糊、または、クリーナや剥離剤等のような他の塗装液体のような適切な量の塗装媒質１５を保持するように設計されている。この塗装媒質容器の基部４は、ローラの充填を容易にするために、および、選択された液体を閉じ込める可能性がある隅を減少させるために、丸くされている。この塗装媒質容器は、この塗装媒質容器が直立して充填のために自立することを可能にする２つの水平調節脚部５を備えている。
【００６４】
塗装媒質容器は、例えば、過剰な塗料を取り除くために端縁全体にわたって塗装ブラシを引っ張る通常の動作を容易にするために、（左手および右手での使用のための）各々の前隅にブラシスクレーパ６を有する。
【００６５】
図５Ｂから図５Ｄに特に示されているように、右側の前隅の下方には、中を空にするための排出リップ７を有する切取部分がある。
【００６６】
金属およびプラスチックの搬送用ハンドル８が、塗装媒質容器の各々の側部の中に成形されている２つの支点セクション上に取り付けられている。
【００６７】
クリップ留め式のローラグリップ（すなわち止め具手段）３が備えられている。このローラグリップを後方に回転させることによって、ペイントローラがドッキング位置のままにされている時にそのペイントローラをロック解除することが可能である。このことが、塗装媒質貯蔵容器の中にローラが落下することなしに、または、塗装媒質貯蔵容器の前部にむかってローラが前方に落下することなしに、ユーザが容易に動き回ることを可能にする。
【００６８】
塗装媒質容器の各端部には、成形物（ｍｏｕｌｄｉｎｇ）の中に備えられている空洞を経由してその容器の中に自己流出（ｓｅｌｆ−ｄｒａｉｎ）する側部容器が存在する。
【００６９】
塗装媒質容器の後部壁は、保持装置１００に取り付けられている２つの取り付けボタン１０１と係合する２つの「キーホール（ｋｅｙｈｏｌｅ）」穴１０を有する保護具（ｇｕａｒｄ）９を形成するように浮き彫りにされている（後述の図２１と図２２を参照されたい）。この後部壁は、さらに、ユーザの胴部に保持装置が装着される時に保持装置の取り付けボタンの上に塗装媒質容器を案内する上でユーザを補助するための２つの浮き彫りにされた溝も有する。
【００７０】
塗装媒質容器の後部上部リップは、プラットフォームのための取り付け縁を形成するためにわずかに浮き彫りにされている（図７Ａと図７Ｂとを参照されたい）。この塗装媒質容器の後部上部リップにはロッキング止め具（ｌｏｃｋｉｎｇ  ｓｔｏｐ）が取り付けられており、このロッキング止め具は、保持装置に嵌合させられている時に、その塗装媒質容器が作業中に保持装置から偶発的に外されることが不可能であることを確実なものにする。
【００７１】
この塗装媒質容器は、充填されている時にバランスが取られている。この塗装媒質容器は、見た目に美しく、かつ、使用を容易にするように人間工学的に設計されている。
【００７２】
この塗装媒質容器は保持装置上に直接的に取り付けられる（または、クリップ留め式に取り付けられる）ことが可能であり、かつ、幾つかの特注のアタッチメントの挿入によって様々な使用に適合化させられることが可能である。こうしたアタッチメントは、非限定的に、ローラプラットフォーム、窓クリーニングキット、または、家庭用艶出キットを含む。
【００７３】
一実施形態における塗装媒質容器は、全体で約３４ｃｍの長さ、かつ、約２３ｃｍの高さであり、および、側部区画（すなわち、塗料ブラシホルダ）を各端部に含み、および、後述の保持装置のための取り付けシステムを取り囲む後部塗装媒質保護具を含む。塗料のような塗装媒質を保持するための塗装媒質容器の容器部分は、長さ約２７ｃｍ、幅約１８ｃｍ、深さ約１５ｃｍである。側部容器は、おそらくは４０ｍｍおよび２５ｍｍのブラシを収容するために、深さ約８ｃｍかつ幅約５ｃｍであるだろう。
【００７４】
ローラプラットフォームは、塗装媒質容器の塗料保護具の浮き彫り部分の上に載る２つ位置決め折り目２１によって塗装媒質容器内に収まるように設計されている成形プラスチック物品である。ローラプラットフォームの主な目的が、通常の水平方向の方法とは反対に垂直方向の動きを使用して、例えば標準的な２０ｃｍの塗料ローラの上へ塗料を分布させる簡単な方法をユーザに提供することである。これは、任意のローラ材料またはより小さいローラの場合にも効果的である。
【００７５】
ローラプラットフォームは塗装媒質容器内に収容されており、これによって跳ね飛びと滴り落ちとを排除する。このプラットフォームは、塗料の蓄積を減少させるために垂直方向に傾斜している。このプラットフォームは、非使用時に塗料ローラのための支持物として機能するように、その基部２２において湾曲している。これは、さらに、この湾曲したハウジング内にローラが残ることを確実なものにするための管状の止め具２３によって強化される。この湾曲した基部は、過剰な塗料が塗装媒質容器内に落下することを可能にするための排出穴２４を有する。
【００７６】
このプラットフォームは、ローラの塗料充填を調整する働きをする８つの成形リブまたは溝２５を有する。このプラットフォームの後部には、適正な使用角度を維持するための支持物が存在する。
【００７７】
一実施形態におけるこのプラットフォームは、幅が約２３ｃｍで高さが約２０ｃｍである。
【００７８】
塗装媒質貯蔵容器５０が図８から図１４に示されている。この塗装媒質貯蔵容器は成形プラスチックで作られており、および、塗装媒質容器と同様に保持装置上に直接的にクリップ留め式に固定されるように設計されている。この塗装媒質貯蔵容器は、ユーザが自分の両手が自由な形で自分の作業物に手が届くことを可能にするために、保持装置に取り付けられることが可能である。
【００７９】
塗装媒質貯蔵容器は、一実施形態において、塗装媒質ポット５１（例えば、塗料缶）と塗料ブラシ４０等とを保持するように設計されている。この容器は、０．５リットルまたは１リットルの標準的な塗料缶を収容することが可能であり、または、この代わりに、それ自体で塗料容器（または、塗料ケトル）として機能することが可能である。この塗装媒質貯蔵容器の基部は、動きを防止する形で両方のサイズの塗料缶を収容するように成形されている。
【００８０】
この塗装媒質貯蔵容器の成形リップの両側には、ドロップダウン形ブラシスクレーパ（ｄｒｏｐ  ｄｏｗｎ  ｂｒｕｓｈ  ｓｃｒａｐｅｒ）５３と協働して機能するように、ブラシ支持物５２が取り付けられている。このブラシ支持物（右手用および左手用）は、ブラシがそのホルダから滑り落ちたり落下することを防止する可とう性のバンドで内部を覆われている。
【００８１】
このドロップダウン形ブラシスクレーパは、成形されたクリップ留め式ヒンジによって塗装媒質容器の後部バックプレート５４に取り付けられている場合に、中央ブラシ支持物としても機能する。この場合も同様に、可とう性インサートが、ブラシの動きを制限するために備えられている。このスクレーパは、塗装媒質容器のリップ上に配置されている時に、固着リップが備えられている塗装媒質容器の前部端縁上にクリップ留めされている。
【００８２】
このスクレーパの各側部では、塗装媒質貯蔵容器の成形物が、ブラシから過剰な塗料を取り除くための先細端縁を提供する。このことが、塗料が塗料缶の側部を滴り落ちる原因となる通常の方法である塗料缶に依存する必要性を無くす。この実施形態では、過剰な塗料が、側部を完全に避けながら、単に塗料缶の中央部に落下する。
【００８３】
塗料スクレーパは、非使用時には、成形されたボタンと、これに嵌合する固定穴とによって垂直方向に引き止められる。あるいは、この代わりに、このスクレーパは、ヒンジから完全にクリップ留め解除されることが可能である。
【００８４】
塗装媒質貯蔵容器の支持バックプレートは保持装置に嵌合するように設計されており、および、保持装置１００に取り付けられた２つの取り付けボタン１０１と係合するための「キーホール」穴５５を形成するように、２つの場所において穿孔されている（後述の説明を参照されたい）。
【００８５】
塗装媒質貯蔵容器の頂部リップにはロッキング止め具が取り付けられており、および、このロッキング止め具は、保持装置に取り付けられている時に、作業中にその装置が保持装置から偶発的に外れることが不可能であることを確実なものにする。
【００８６】
一例では、この塗装媒質貯蔵容器は、支持バックプレートを含む時に、幅が約１６ｃｍで高さが約２０ｃｍである。
【００８７】
本発明の壁紙用具ホルダ６０が図１５から図２０に示されている。この壁紙道具ホルダは、壁紙貼りに関連した幾つかの塗装用具（または道具）を保持するように設計されているプラスチック製の道具トレイである。
【００８８】
この用具ホルダは、ドロップダウン形搬送ハンドル６２が取り付けられているクリーニングし易い本体６１を有する。この本体は、例えば小さい道具ポケット６３（第１の区画部分）とブラシポーチ６４（第２の区画部分）とのような、２つの挟み込み（ｓｌｉｄｅ−ｉｎ）式の道具ホルダまたは区画部分を収容するための、成形された案内溝を各々の内側側部に有する。その小さい道具ポケットは、例えばエッジローラ（ｅｄｇｅ  ｒｏｌｌｅｒ）、切断ナイフ、スクレーパ、小さい糊ブラシ、および、鋏のような、５つの塗装工用道具を保持するように設計されている。例えば、鋏は、左手および右手での使用のためにその装置のどちらかの側部に取り付けられることが可能である。この小さい道具ポケットは、ハンドル形の切り欠きによって用具ホルダから取り外されることが可能である。
【００８９】
ブラシポーチ（ｂｒｕｓｈ  ｐｏｕｃｈ）は、用具ホルダの前部の中に挿入される場合に、幾つかの他の特徴要素と共に壁紙平滑化ブラシ（ｗａｌｌｐａｐｅｒ  ｓｍｏｏｔｈｉｎｇ  ｂｒｕｓｈ）を収容するように設計されている。小さい道具ポケットの付近にブラシポーチを挿入することが、平滑化および端縁切断道具（ｓｍｏｏｔｈｉｎｇ  ａｎｄ  ｃｕｔｔｉｎｇ  ｅｄｇｅ  ｔｏｏｌ）を格納するのに適している間隙（例えば、約１５ｍｍ）を生じさせる。ブラシポーチの前部は、小さい取り外し可能なプラスチック製の接着剤容器を保持することが可能な切り欠きを有する。巻尺ホルダが、これに隣接している。
【００９０】
さらに、鉛筆ホルダ６６が用具ホルダの中に設計されてもよい。
【００９１】
金属製およびプラスチック製の搬送ハンドルが、用具ホルダの両側に成形されている２つの支点部分上に取り付けられている。
【００９２】
用具ホルダは、塗装媒質容器および塗装媒質貯蔵容器と同じ形で保持装置上にクリップ留めされるように設計されている。用具ホルダのバックプレートは、保持装置１００に取り付けられている２つの取り付けボタン１０１と係合するための「キーホール」穴６７を形成するように２つの場所において穿孔されている。保持装置の後部には、保持装置が腰部に取り付けられる時に保持装置の取り付けボタン上に用具ホルダを案内する上でユーザを補助するための２つの浮き彫り溝が存在する。
【００９３】
用具ホルダの頂部リップにはロッキング止め具が取り付けられており、および、このロッキング止め具は、保持装置に嵌合させられている時に、作業中にその装置が保持装置から偶発的に外れることが不可能であることを確実なものにする。
【００９４】
この用具ホルダは、満杯になっている時にバランスがとれているように設計されている。
【００９５】
一例では、この用具ホルダは、全長が約２８ｃｍで、幅が約１９ｃｍで、かつ、深さが約１９ｃｍである。
【００９６】
保持装置１００は図２１と図２２とに示されている。保持装置は、プラスチック製の迅速離脱式／自己固着式バックル（ｑｕｉｃｋ−ｒｅｌｅａｓｅ，ｓｅｌｆ−ｌｏｃｋｉｎｇ  ｂｕｃｋｌｅ）が取り付けられている例えば３５ｍｍベルトのような帯ひもベルト１０２に適合するように設計されている、不とう性のプラスチック製の成形支持物である。
【００９７】
ベルトを伴ったこの保持装置は、ユーザ（左利きまたは右利き）の腰部に取り付けられることも、梯子、踏み段、プラットフォーム等に直接的に取り付けられることも可能である。
【００９８】
この塗装システムの構成要素のすべてが、これらの構成要素上に備えられている「キーホール」穴に係合する２つの支持ボタン１０１によって保持装置に容易に取り付けられるように設計されており、したがって、ユーザが両手が自由な形で自分の作業物に手を届かせることを可能にする。
【００９９】
ばね式ロック（ｓｐｒｕｎｇ  ｌｏｃｋ）１０３が、アタッチメントが偶発的にクリップ留め解除されることが不可能であることを確実なものにするために、保持装置上に備えられている。
【０１００】
保持装置の後部の中に成形されているベルトループ１０４が、人間に押し当ててその支持物を平らに保つように構成されている。
【０１０１】
要約すると、この塗装システムは塗装作業をより容易にかつより安全にする。単純であるが効果的であるクリップ留め式のシステムによって人間に安全に取り付けられるかまたは作業場所に直接的に取り付けられる「作業道具」を有するという原理は、作業場所に手を届かせようと試みながら幾つかの物品を搬送しようと試みることよりも好ましい方法である。
【０１０２】
このシステムの構成要素は、さらに、ニス塗りおよび木材処理、塗料剥離、または、さらには窓掃除のような、幾つかの他の作業のためにも使用されることが可能である。このシステムの構成要素は、特定の作業のために必要とされる道具を支持するために十分なだけ丈夫であることが好ましい。
【０１０３】
ＤＩＹおよび軽度の専門的作業をユーザのためにより安全にするために、このシステムの構成要素のための他のインサートに関して様々な選択肢が存在する。例えば、塗装媒質容器および／または用具ホルダに関して想定されている他のインサートおよびアタッチメントが、スクリュードライバ、ペンチ、ハンマ等のための小型道具インサート、または、家庭用クリーニングおよび研磨インサートである。電池駆動式ドリルおよびスクリュードライバのためのアタッチメントが、保持装置上に直接的に嵌合するように形成されることも可能である。これに加えて、または、これに代えて、ハンマおよび付属品を可能にするアタッチメントが保持装置上に直接的に取り付けられることが可能である。
【０１０４】
本発明による塗装媒質容器の第２の実施形態２０１が図２３から図２６に示されている。この塗装媒質容器は、この場合には、ローラ（図示されていない）を受けて保持するための一体状のプラットフォーム２２０を備える。このプラットフォームは、塗料の蓄積を減少させるために垂直方向に傾斜させられている。このプラットフォームは、ローラの塗料充填を調節する働きをする成形されたリブまたは溝２２５を有する。このプラットフォームは、非使用時には、塗料ローラのための支持物として機能するようにそのプラットフォームの基部２２２において湾曲している。この湾曲した基部は、過剰な塗料が塗装媒質容器の中に落下することを可能にするように（プラットフォームの基部にある指片によって形成されている）排出スロット２２４を有する。
【０１０５】
この塗装媒質容器は、さらに、この塗装媒質容器の各側部の中に成形されている２つの支点部分の中に挿入可能である端部を有する搬送用ハンドル２０８を備える。この塗装媒質容器は、側部区画を含まない。
【０１０６】
この塗装媒質容器は一体型のプラスチック成形品であり、および、その開放端部の端から端までの（すなわち、ハンドル支点部分の相互間の）幅において約１２．７ｃｍ（約５インチ）である。
【０１０７】
この塗装媒質容器は、（例えば後述の図３１から図３４に示されている具体例の場合に）この塗装媒質容器の後部の鳩尾形突起２３０によって保持装置上に直接的に取り付けられる（または、クリップ留め式に取り付けられる）ことが可能である。
【０１０８】
本発明による塗装媒質容器の第３の実施形態３０１が、図２７から図３０に示されている。この場合には、ローラ（図示されていない）を受けて保持するためのプラットフォーム３２０が、塗装媒質容器に対して着脱自在に取り付け可能である。この塗装媒質容器は、さらに、その塗装媒質容器の各側部の中に成形されている２つの支点部分の中に挿入可能である端部を有する搬送用ハンドル３０８を備える。塗装媒質容器の中に面している搬送用ハンドルの各側部は、この場合に、ブラシスクレープ（ｂｒｕｓｈ  ｓｃｒａｐｅ）３１０として使用可能である先細の区域を含む。塗装媒質容器は、塗料ブラシ等（図示されていない）を受け入れるのに適している側部区画３０２をその各側部上に含む。
【０１０９】
この塗装媒質容器は、その開放端部の端から端までの（すなわち、ハンドル支点部分の相互間の）幅において約２２．８６ｃｍ（約９インチ）である。
【０１１０】
この塗装媒質容器は、（例えば後述の図３１から図３４に示されている具体例の場合に）この塗装媒質容器の後部の鳩尾形突起３３０によって保持装置上に直接的に取り付けられる（または、クリップ留め式に取り付けられる）ことが可能である。
【０１１１】
上述の第１の塗装媒質容器と同様に、この塗装媒質容器２０１、３０１は、塗料、壁紙糊、または、他の塗装液（例えば、洗浄剤、剥離剤等）のような塗装媒質を保持するように設計されている。この塗装媒質容器の基部２０４、３０４は、ローラの充填を容易にするために、かつ、選択された液体を閉じ込める可能性がある隅を減少させるために、丸められている。各々の塗装媒質容器は、その塗装媒質容器が直立しかつ充填のために自己支持することを可能にする水平調節プラットフォーム２０５、３０５を備えている。
【０１１２】
本発明の塗装システムの構成要素、例えば図２４から図３０に示されている塗装媒質容器は、図３１から図３４に示されている保持装置４００の第２の実施形態に取り付け可能であるように適合化させられるだろう。この保持装置は、対応する鳩尾形突起（例えば、図２５と図２９とに示されている鳩尾形突起２３０、３３０）を受け入れるための、連結場所４０１がそれから突き出る湾曲した支持物４１０を備える。この保持装置は、さらに、その連結場所の中に挿入される時に、鳩尾形突起を所定位置に固定するばね式ロック４０２を備える。このばね式ロックは、保持装置から突き出しかつ（例えば、親指を使用して）容易に片手操作の形で取り扱い可能であるレバー４０３によって解除されることが可能である。このことが、安全性または他の理由のためにユーザが片方の手を使用可能な状態に保つことを可能にし、例えば、ユーザが保持装置上に塗装システムの構成要素を取り付けたり取り外したりする最中に、そのユーザが梯子または踏み段の上に片手を置いておくことを可能にする。
【０１１３】
湾曲した支持物４１０は、ユーザに対して（例えばユーザの臀部に対して）快適に押し当たるように設計されている。保持装置は、ベルト穴４０４の中を通されることが可能なベルト（図示されていない）によってユーザに押し当てて所定位置に保持される。
【０１１４】
好ましいかまたは例示的な実施形態を参照しながら本発明を説明してきたが、当業者は、本発明の着想と範囲からの逸脱なしにこうした実施形態に対する様々な変更と変型とが加えられることが可能であるということと、こうした変更が本明細書において明確に想定されているということとを理解するだろう。本明細書に開示されておりかつ添付されている特許請求項に説明されている特定の実施形態に関して限定は全く意図されておらず、かつ、推測されてはならない。
【０１１５】
本明細書に引用されているすべての文献は、その全体において引例として組み入れられている。
【図面の簡単な説明】
【０１１６】
【図１】図１は、本発明による塗料容器の第１の実施形態の斜視図である。
【図２】図２は、図１に示されている塗料容器と組み合わせて使用するための転がりプラットフォーム（ｒｏｌｌｉｎｇ  ｐｌａｔｆｏｒｍ）の斜視図である。
【図３】図３は、図１の塗料容器内に配置されている図２の転がりプラットフォームの斜視図である。
【図４】図４は、所定位置にあるクリップ留め式のローラグリップを示す、図１の塗料容器内に配置されている図２の転がりプラットフォームの斜視図である。
【図５Ａ】図５Ａは、図１に示されている塗料容器の側断面図である。
【図５Ｂ】図５Ｂは、図１に示されている塗料容器の正面図である。
【図５Ｃ】図５Ｃは、図１に示されている塗料容器の右端面図である。
【図５Ｄ】図５Ｄは、図５Ｃで円で示されている区域の詳細な隅の図を示す。
【図６Ａ】図６Ａは、図２の転がりプラットフォームの側断面図である。
【図６Ｂ】図６Ｂは、図２の転がりプラットフォームの正面図である。
【図７Ａ】図７Ａは、ローラが転がりプラットフォーム上の所定位置にある、図１の塗料容器内に配置されている図２の転がりプラットフォームの側断面図である。
【図７Ｂ】図７Ｂは、塗料ブラシが塗料容器の側部区画内に位置している、図１の塗料容器内に配置されている図２の転がりプラットフォームの正面図である。
【図８】図８は、本発明による塗料貯蔵容器の斜視図である。
【図９】図９は、塗料ブラシが上に載っている反転式塗料掻き取り装置（ｆｌｉｐ−ｏｖｅｒ  ｐａｉｎｔ  ｓｃｒａｐｅ  ｄｅｖｉｃｅ）を伴う、図８の塗料貯蔵容器の斜視図である。
【図１０】図１０は、図８の塗料貯蔵容器の平面図である。
【図１１】図１１は、中に押し込まれている塗料ポットを示し、かつ、塗料ブラシが反転式塗料掻き取り装置上に載っている、図８から図１０の塗料貯蔵容器の平面図である。
【図１２】図１２は、反転式塗料掻き取り装置が開状態にある、図８から図１１の塗料貯蔵容器の正面図である。
【図１３】図１３は、反転式塗料掻き取り装置が閉状態にあり、塗料ブラシが反転式塗料掻き取り装置上に載っており、かつ、塗料缶が塗料貯蔵容器内に押し込まれている、図８から図１２の塗料貯蔵容器の正面図である。
【図１４Ａ】図１４Ａは、反転式塗料掻き取り装置が閉状態にあり、塗料ブラシが反転式塗料掻き取り装置上に載っている、図８から図１３の塗料貯蔵容器の側面図である。
【図１４Ｂ】図１４Ｂは、塗料貯蔵容器の様々な構成要素の分解組立図である。
【図１４Ｃ】図１４Ｃは、塗料貯蔵容器の様々な構成要素の分解組立図である。
【図１４Ｄ】図１４Ｄは、塗料貯蔵容器の様々な構成要素の分解組立図である。
【図１４Ｅ】図１４Ｅは、塗料貯蔵容器の様々な構成要素の分解組立図である。
【図１５】図１５は、本発明による壁紙用具ホルダの様々な部分の斜視図である。
【図１６】図１６は、様々な用具を含むアセンブリ状態における図１５の壁紙用具ホルダの斜視図である。
【図１７Ａ】図１７Ａは、図１５および図１６の壁紙用具ホルダの主本体部分の正面図である。
【図１７Ｂ】図１７Ｂは、図１５および図１６の壁紙用具ホルダの主本体部分の平面図である。
【図１７Ｃ】図１７Ｃは、図１５および図１６の壁紙用具ホルダの主本体部分の側面図である。
【図１８Ａ】図１８Ａは、図１５および図１６の壁紙用具ホルダの第１の区画部分の平面図である。
【図１８Ｂ】図１８Ｂは、図１５および図１６の壁紙用具ホルダの第１の区画部分の正面図である。
【図１８Ｃ】図１８Ｃは、図１５および図１６の壁紙用具ホルダの第１の区画部分の断面図である。
【図１９Ａ】図１９Ａは、図１５および図１６の壁紙用具ホルダの第２の区画部分の正面図である。
【図１９Ｂ】図１９Ｂは、図１５および図１６の壁紙用具ホルダの第２の区画部分の平面図である。
【図１９Ｃ】図１９Ｃは、図１５および図１６の壁紙用具ホルダの第２の区画部分の断面図である。
【図２０Ａ】図２０Ａは、様々な用具を示す、図１５および図１６のアセンブリされた壁紙用具ホルダの正面図である。
【図２０Ｂ】図２０Ｂは、様々な用具を示す、図１５および図１６のアセンブリされた壁紙用具ホルダの平面図である。
【図２０Ｃ】図２０Ｃは、様々な用具を示す、図１５および図１６のアセンブリされた壁紙用具ホルダの断面図である。
【図２１】図２１は、本発明による保持装置の第１の実施形態の斜視図である。
【図２２Ａ】図２２Ａは、後述する図２１に示されている保持装置の説明図である。
【図２２Ｂ】図２２Ｂは、後述する図２１に示されている保持装置の説明図である。
【図２２Ｃ】図２２Ｃは、後述する図２１に示されている保持装置の説明図である。
【図２２Ｄ】図２２Ｄは、後述する図２１に示されている保持装置の説明図である。
【図２３】図２３は、本発明による塗料容器の第２の実施形態の隅の図である。
【図２４】図２４は、図２３の塗料容器の平面図である。
【図２５】図２５は、図２３と図２４に示されている塗料容器の背面図である。
【図２６】図２６は、図２３から図２５に示されている塗料容器の端面図である。
【図２７】図２７は、本発明による塗料容器の第３の実施形態の隅の図である。
【図２８】図２８は、図２７の塗料容器の平面図である。
【図２９】図２９は、図２７と図２８に示されている塗料容器の背面図である。
【図３０】図３０は、図２７から図２９に示されている塗料容器の端面図である。
【図３１】図３１は、本発明による保持装置の第２の実施形態の隅の図である。
【図３２】図３２は、図３１に示されている保持装置の背面図である。
【図３３】図３３は、図３１と図３２とに示されている保持装置の端面図である。
【図３４】図３４は、図３１から図３３に示されている保持装置の平面図である。
【図１】
2009525171.tif 000003
【図２】
2009525171.tif 000004
【図３】
2009525171.tif 000005
【図４】
2009525171.tif 000006
【図５Ａ】
2009525171.tif 000007
【図５Ｂ】
2009525171.tif 000008
【図５Ｃ】
2009525171.tif 000009
【図５Ｄ】
2009525171.tif 000010
【図６Ａ】
2009525171.tif 000011
【図６Ｂ】
2009525171.tif 000012
【図７Ａ】
2009525171.tif 000013
【図７Ｂ】
2009525171.tif 000014
【図８】
2009525171.tif 000015
【図９】
2009525171.tif 000016
【図１０】
2009525171.tif 000017
【図１１】
2009525171.tif 000018
【図１２】
2009525171.tif 000019
【図１３】
2009525171.tif 000020
【図１４Ａ】
2009525171.tif 000021
【図１４Ｂ】
2009525171.tif 000022
【図１４Ｃ】
2009525171.tif 000023
【図１４Ｄ】
2009525171.tif 000024
【図１４Ｅ】
2009525171.tif 000025
【図１５】
2009525171.tif 000026
【図１６】
2009525171.tif 000027
【図１７Ａ】
2009525171.tif 000028
【図１７Ｂ】
2009525171.tif 000029
【図１７Ｃ】
2009525171.tif 000030
【図１８Ａ】
2009525171.tif 000031
【図１８Ｂ】
2009525171.tif 000032
【図１８Ｃ】
2009525171.tif 000033
【図１９Ａ】
2009525171.tif 000034
【図１９Ｂ】
2009525171.tif 000035
【図１９Ｃ】
2009525171.tif 000036
【図２０Ａ】
2009525171.tif 000037
【図２０Ｂ】
2009525171.tif 000038
【図２０Ｃ】
2009525171.tif 000039
【図２１】
2009525171.tif 000040
【図２２Ａ】
2009525171.tif 000041
【図２２Ｂ】
2009525171.tif 000042
【図２２Ｃ】
2009525171.tif 000043
【図２２Ｄ】
2009525171.tif 000044
【図２３】
2009525171.tif 000045
【図２４】
2009525171.tif 000046
【図２５】
2009525171.tif 000047
【図２６】
2009525171.tif 000048
【図２７】
2009525171.tif 000049
【図２８】
2009525171.tif 000050
【図２９】
2009525171.tif 000051
【図３０】
2009525171.tif 000052
【図３１】
2009525171.tif 000053
【図３２】
2009525171.tif 000054
【図３３】
2009525171.tif 000055
【図３４】
2009525171.tif 000056
【国際調査報告】
2009525171.tif 000057
2009525171.tif 000058
2009525171.tif 000059
2009525171.tif 000060